(57)【要約】【課題】再生時に於いて口述者と口述内容を容易に確認することができ、使い易く誤操作のない撮影装置を提供することである。【解決手段】撮像時には、発光部１８内の昇圧部１７により電力が供給されて照明部１６により口述者が照明される。スイッチ操作部及び制御部１１では、所定の操作スイッチが操作された場合のみ上記昇圧部１７に電源が供給されて昇圧動作が開始するように制御される。そして、撮像装置７の撮像部５で撮像された口述者の画像信号は、デジタル信号に変換されて符号化部１で符号化された後、該口述者の音声信号に関連付けて記憶部２の所定領域に記憶される。また、再生時は、再生開始に伴って、音声信号と関連した画像が静止画として画像再生部１３に表示される。【選択図】      図１
2005150953.tif 000002
【特許請求の範囲】
【請求項１】
被写体を照明するための発光素子と、
上記発光素子が発光するために必要な電圧値まで電源電圧を昇圧して該発光素子に電力を供給する昇圧回路と、
上記昇圧回路から上記発光素子に供給される電力を制御して上記発光素子の発光を制御する発光制御手段と、
所定の操作スイッチの操作に応答して上記昇圧回路による上記電源電圧の昇圧を開始する昇圧制御手段と、
を具備することを特徴とする撮影装置。
【請求項２】
上記所定の操作スイッチは、撮像を指示するためのレリーズスイッチであることを特徴とする請求項１に記載の撮影装置。
【請求項３】
上記所定の操作スイッチは、二段押しのスイッチで構成されており、上記昇圧制御手段は、上記所定の操作スイッチの一段目の押下操作によって、上記昇圧を開始するように上記昇圧回路を制御することを特徴とする請求項１に記載の撮影装置。
【請求項４】
上記昇圧制御手段は、上記所定の操作スイッチの終了に応答して上記昇圧を停止するように上記昇圧回路を制御することを特徴とする請求項１に記載の撮影装置。
【請求項５】
上記昇圧制御手段は、上記所定の操作スイッチの一段目の押下操作の開放に応答して上記昇圧を停止するように上記昇圧回路を制御することを特徴とする請求項３に記載の撮影装置。
【請求項６】
撮像素子と、
被写体の露光量が所定値に達したか否かを検出する露光量検出手段と、
を更に具備し、
上記発光制御手段は、上記撮像素子の垂直同期信号に同期して上記発光素子の発光を開始させると共に、被写体の露光量が所定の判定値に達したことが上記露光量検出手段により検出された場合には、上記発光素子の発光を停止させるように上記発光素子を制御することを特徴とする請求項１に記載の撮影装置。
【請求項７】
上記発光素子は、半導体発光素子であることを特徴とする請求項１に記載の撮影装置。
【請求項８】
音声データの記録中に被写体の画像データの撮像を行う撮像手段と、
上記音声データ及び該音声データに関連付けた上記画像データを記憶する記憶手段と、
上記被写体を照明するための発光素子と、
上記発光素子が発光するために必要な電圧値まで電源電圧を昇圧して該発光素子に電力を供給する昇圧回路と、
上記昇圧回路から上記発光素子に供給される電力を制御して上記発光素子の発光を制御する発光制御手段と、
所定の操作スイッチの操作に応答して上記昇圧回路による上記電源電圧の昇圧を開始する昇圧制御手段と、
を具備することを特徴とする撮影装置。
【発明の詳細な説明】
【技術分野】
【０００１】
本発明は撮影装置に関し、より詳しくは撮像機能を備えた音声記録再生装置等のデータ処理装置に関するものである。
【背景技術】
【０００２】
周知のように、音声信号をデジタルデータに変換した後、書換え可能な記録媒体としてのフラッシュメモリに記憶し、上記フラッシュメモリに記録された音声データをアナログ化して再生するという携帯型の音声記録再生装置（以下、ＩＣレコーダと記す）が、１９９０年代後半から本格的に実用化されている。更に、最近では、録音しながら同時に画像も記録することが可能な撮像機能付きＩＣレコーダも製品化されている。
【０００３】
ところで、低照度下の撮影では、照明光源が必要になる。特に電子スチルカメラの場合は、しばしばストロボライトを用いて露出の間だけ主要被写体を照明している。そこで、発光形態を変えることにより、静止画撮影と動画撮影の両方を１つのストロボライトで兼用する提案がなされている。すなわち、静止画撮影時のストロボと動画撮影時のビデオライトを１つのストロボライトで兼用して、静止画撮影時は高照度で単発光させ、動画撮影時は低照度で連続発光させている。上記照度の高低は、メインコンデンサの容量の切り換え、及び充電電圧の高低で制御している（例えば、特許文献１参照）。
【特許文献１】特開２００１−７６８９１号公報
【発明の開示】
【発明が解決しようとする課題】
【０００４】
しかしながら、音声記録を主目的とした場合、主要被写体の多くは、至近距離にあると考えてよい。例えば、インタビューの場合は、主要被写体が口述者である。その他、書籍やホワイトボード上の記述では、主要被写体が文字（図）である。
【０００５】
また、撮影時の主要被写体は、その多くが静止していると考えてよい。したがって、照明光源としては、至近距離の低照度下に於いて、少なくとも静止画が適正露光で撮影可能な発光量であればよい。
【０００６】
ところが、上記特許文献１に記載されている電子スチルカメラ用のストロボライトは、静止画撮影と動画撮影の両方に対応できるように、それぞれ静電容量の異なる２種類のメインコンデンサを用いている。したがって、当然のことながらスペース及びコストが犠牲になっている。
【０００７】
更に、低照度下の動画撮影にストロボライトを用いた場合、その動画の滑らかさを損なわないように、できるだけ短時間充電で、且つ、各フレーム毎に確実に発光させなければならない。すなわち、上述した特許文献１に記載のストロボライトの最大発光量は、該ストロボライトに用いられるキセノン管の最低発光電圧と１フレームの時間内に充電可能な充電電圧とに強く依存している。したがって、かなり大がかりな昇圧回路や高圧の蓄電池を用いない限り、各フレーム毎の正確な発光と露光は難しい。しかも、連続発光時は、発熱と消費電流の増大を抑制しなければならないので、動画撮影時の高照度発光は実質的に困難である。
【０００８】
このように、ストロボライトを用いた照明装置は、ある程度使用方法が限られた小型軽量のセットに対しては、非常に使い勝手が悪いという課題を有していた。
【０００９】
したがって本発明の目的は、上記事情に鑑みてなされたものであり、再生時に於いて口述者とその口述内容を容易に確認することが可能で、且つ、低消費電力で使い易い撮影装置を提供することである。
【課題を解決するための手段】
【００１０】
すなわち、請求項１に記載の発明は、被写体を照明するための発光素子と、上記発光素子が発光するために必要な電圧値まで電源電圧を昇圧して該発光素子に電力を供給する昇圧回路と、上記昇圧回路から上記発光素子に供給される電力を制御して上記発光素子の発光を制御する発光制御手段と、所定の操作スイッチの操作に応答して上記昇圧回路による上記電源電圧の昇圧を開始する昇圧制御手段と、を具備することを特徴とする。
【００１１】
請求項２に記載の発明は、請求項１に記載の発明に於いて、上記所定の操作スイッチは、撮像を指示するためのレリーズスイッチであることを特徴とする。
【００１２】
請求項３に記載の発明は、請求項１に記載の発明に於いて、上記所定の操作スイッチは、二段押しのスイッチで構成されており、上記昇圧制御手段は、上記所定の操作スイッチの一段目の押下操作によって、上記昇圧を開始するように上記昇圧回路を制御することを特徴とする。
【００１３】
請求項４に記載の発明は、請求項１に記載の発明に於いて、上記昇圧制御手段は、上記所定の操作スイッチの終了に応答して上記昇圧を停止するように上記昇圧回路を制御することを特徴とする。
【００１４】
請求項５に記載の発明は、請求項３に記載の発明に於いて、上記昇圧制御手段は、上記所定の操作スイッチの一段目の押下操作の開放に応答して上記昇圧を停止するように上記昇圧回路を制御することを特徴とする。
【００１５】
請求項６に記載の発明は、請求項１に記載の発明に於いて、撮像素子と、被写体の露光量が所定値に達したか否かを検出する露光量検出手段と、を更に具備し、上記発光制御手段は、上記撮像素子の垂直同期信号に同期して上記発光素子の発光を開始させると共に、被写体の露光量が所定の判定値に達したことが上記露光量検出手段により検出された場合には、上記発光素子の発光を停止させるように上記発光素子を制御することを特徴とする。
【００１６】
請求項７に記載の発明は、請求項１に記載の発明に於いて、上記発光素子は、半導体発光素子であることを特徴とする。
【００１７】
請求項８に記載の発明は、音声データの記録中に被写体の画像データの撮像を行う撮像手段と、上記音声データ及び該音声データに関連付けた上記画像データを記憶する記憶手段と、上記被写体を照明するための発光素子と、上記発光素子が発光するために必要な電圧値まで電源電圧を昇圧して該発光素子に電力を供給する昇圧回路と、上記昇圧回路から上記発光素子に供給される電力を制御して上記発光素子の発光を制御する発光制御手段と、所定の操作スイッチの操作に応答して上記昇圧回路による上記電源電圧の昇圧を開始する昇圧制御手段と、を具備することを特徴とする。
【発明の効果】
【００１８】
本発明によれば、再生時に於いて口述者とその口述内容を容易に確認することが可能で、且つ、低消費電力で使い易い撮影装置を提供することができる。
【発明を実施するための最良の形態】
【００１９】
以下、図面を参照して本発明の実施形態について説明する。
【００２０】
図１は、本発明の第１の実施形態であるデータ処理装置の概略構成を示したブロック図である。
【００２１】
図１に示されるように、本実施形態に於けるデータ処理装置は、音声信号及び画像信号を符号化する符号化部１と、記憶部２と、符号化された信号を復号化する復号化部３と、
音声再生部４と、撮像部５及び記憶部６とを有して成る撮像装置７と、スイッチ操作部及び制御部１１と、選択部１０及び１２と、映像再生部１３と、スイッチ部１５と、照明部１６及び昇圧部１７とを有して成る発光部１８とから構成されている。
【００２２】
上記符号化部１は、音声信号及び画像信号を所定のフォーマット形式の音声データ及び画像データに符号化するものである。記憶部２は、上記音声データ及び該音声データに関連付けられた画像データを記憶する。更に、復号化部３は、再生時に上記記憶手段２から読み出した上記音声データ、及び画像データを所定の復号化フォーマットに従って、音声信号及び画像信号に復号化する。上記音声再生部４は、上記復号化された音声信号を音声として再生する。
【００２３】
上記撮像装置７内の撮像部５は被写体を撮影するためのもので、記憶部６は該撮像部５が出力する画像データを少なくとも１フレーム単位で一時的に記憶するものである。
【００２４】
上記選択部７は、上記撮像装置７の画像データを選択して上記符号化部１に入力するためのものである。スイッチ操作部及び制御部１１は、複数の操作スイッチが設けられたスイッチ操作部と、該操作スイッチの入力状態に応じて所定のシーケンスを実行する制御部とから成っており、発光制御手段及び昇圧制御手段の機能を有している。
【００２５】
このスイッチ操作部及び制御部１１の特定のスイッチは、第１レリーズスイッチと第２レリーズスイッチとの二段押しのスイッチで構成されている。レリーズ釦の一段目の押下操作で上記第１レリーズスイッチが閉成され、二段目の押下操作で第２レリーズスイッチが閉成されるようになっている。
【００２６】
上記選択部１２は、上記音声信号に関連付けられた画像信号のみを選択的に上記画像再生部１２に出力するようにしたものである。映像再生部１３は、録音時に限って上記スイッチ操作部及び制御部１１の特定のスイッチを操作することにより、上記復号化された画像信号を画像として再生する。
【００２７】
スイッチ部１５は、上記スイッチ操作部及び制御部１１の特定のスイッチを操作した場合に、上記撮像装置７及び発光部１８に所定の画像処理及び露出制御を行う間だけ電源を供給するスイッチで構成される。
【００２８】
発光部１８内の照明部１６は発光素子で構成されており、主に低照度下の撮影に於いて被写体を照明する。昇圧部１７は、上記照明部１６を所定の電圧パルスで駆動するための昇圧回路で構成されている。
【００２９】
このような構成のデータ処理装置に於いて、上記スイッチ操作部及び制御部１１の第１レリーズスイッチが閉成されると、スイッチ部１５によって撮像装置７及び発光部１８への電源供給が開始され、第２レリーズスイッチが閉成されると撮影動作が開始する。
【００３０】
撮像装置７内の撮像部５にて被写体が撮影されると、この撮像部５から出力された画像データは、少なくとも１フレーム単位で一時的に記憶部６に記憶される。録音時には、スイッチ操作部及び制御部１１の特定のスイッチが操作されることにより、上記撮像装置７の画像データが選択部１０で選択されて符号化部１に入力される。この符号化部１では、音声信号及と画像信号が所定のフォーマット形式の音声データ及び画像データに符号化される。そして、これら符号化された音声データ及び音声データに関連付けられた画像データが、記憶部２に記憶される。
【００３１】
また、低照度下の撮影に於いては、スイッチ部１５を介して得られた電源電圧が昇圧部１７により所定の電圧パルスに昇圧されて、照明部１６からストロボ光が被写体に照明される。
【００３２】
再生時には、上記記憶部２から読み出された上記音声データ及び画像データが、復号化部３にて、所定の復号化フォーマットに従って音声信号及び画像信号に復号化される。この復号化された音声信号は、音声再生部４にて音声として再生される。また、上記音声信号に関連付けられた画像信号のみが、選択部１２で選択的により画像再生部１２に出力される。そして、この画像再生部１３にて、復号化された画像信号が画像として再生される。
【００３３】
尚、上記撮像装置７及び発光部１８への電源供給は、上記所定の画像処理及び露出制御の終了、第１レリーズスイッチの開放または第２レリーズスイッチの開放と同時に停止されるようになっている。
【００３４】
図２は、本発明の撮影装置の第１の実施形態であるＩＣレコーダの構成を示すブロック図である。
【００３５】
図２に於いて、本実施形態のＩＣレコーダは、このＩＣレコーダは、画像を電気信号に変換する撮像素子（ＣＣＤ）２１と、画像入力部２２と、音声を電気信号に変換するマイクロフォン（ＭＩＣ）２３と、音声入力部２４とを有して構成される。
【００３６】
上記画像入力部２２は、撮像素子（ＣＣＤ）２１からの画像データが入力されるもので、図示されないアイリス、ゲイン、ホワイトバランス等の各制御回路、及びＡ／Ｄ変換器により構成されている。また、露光量検出手段としての機能も有している。撮像素子（ＣＣＤ）２１から出力された各画素信号は、この画像入力部２２によりデジタル信号に変換される。
【００３７】
同様に、音声入力部２４は、上記マイクロフォン（ＭＩＣ）２３からの音声が入力されるもので、図示されないマイクアンプ、ローパスフィルタ、及びＡ／Ｄ変換器で構成されている。マイクアンプで増幅されたアナログの音声信号は、ローパスフィルタで不要な周波数帯域がカットされた後、Ａ／Ｄ変換器でデジタル信号に変換される。
【００３８】
上記画像及び音声の各デジタル信号は、デジタル信号処理部（ＤＳＰ）２５に入力される。このデジタル信号処理部（ＤＳＰ）２５は、録音時にはシステム制御部３０に制御されて上記各デジタル信号をフレーム単位で所定の符号化フォーマットの音声データ及び画像データに符号化（圧縮）する。符号化された各データは、一時的にシステム制御部３０の図示されないバッファメモリに記憶される。
【００３９】
一方、再生時の上記デジタル信号処理部（ＤＳＰ）２５は、システム制御部３０によって制御されて、このシステム制御部３０の図示されないバッファメモリから音声データ及び画像データがフレーム単位で復号化（伸長）される処理が行われる。
【００４０】
そして、復号化された画像のデジタル信号は、画像再生部２６に入力される。この画像再生部２６は、図示されないビデオ制御回路及びＤ／Ａ変換器で構成されている。上記画像再生部２６によりアナログ信号に変換された画像信号は、例えばＴＦＴ−ＬＣＤ等で構成された画像表示部２７に画像として表示される。
【００４１】
同様に、復号化された音声のデジタル信号は、音声再生部２８に入力される。音声再生部２８は、図示されないＤ／Ａ変換器、ローパスフィルタ、及びパワーアンプで構成されている。上記Ｄ／Ａ変換器でアナログ信号に変換された音声信号は、ローパスフィルタで不要な周波数帯域がカットされた後、パワーアンプにより増幅される。そして、スピーカ（ＳＰ）２９から音声として出力される。
【００４２】
上記システム制御部３０はＣＰＵで構成されており、上記デジタル信号処理部２５以外に、表示部３３、記憶部（メモリ）３４、操作部３４及び発光部３６が接続されている。
【００４３】
上記記憶部（メモリ）３５は、不揮発性の半導体メモリ、例えばフラッシュメモリ等で構成されている。録音時は、上記デジタル信号処理部２５で符号化された音声データ及び画像データを、上記システム制御部３０の図示されないバッファメモリを介して記憶する。このとき、音声データ及び画像データに関するインデックス情報も記憶する。
【００４４】
操作部３４は、何れも図示されないが、録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）及びホールドスイッチ（ＨＯＬＤ）等の各種スイッチが機能別に配設されている。
【００４５】
上記表示部３３は、上記操作部３４の何れかのスイッチ操作により、所定のシーケンスが開始されたときの動作モード、またはその後の動作状況を表示するものである。例えば、録音スイッチ（ＲＥＣ）が押された場合は、録音の経過時間、録音可能な残り時間及びファイルナンバ等が表示される。また、メニュースイッチ（ＭＥＮＵ）が押された場合は、マイク感度（高／低）、録音モード（標準／ロング）及びアラーム（オン／オフ）等の機能選択に関連した表示が行われる。
【００４６】
更に、上記システム制御部３０が時計機能を有しているときは、現在日時の表示も行われる。これらの表示内容は、上記画像表示部２７に表示されるようにしてもよい。
【００４７】
上記発光部３６は、室内等の低照度下の撮影に於いて、被写体輝度が上記撮像素子（ＣＣＤ）２１の露光感度に満たない場合に発光する。上述したように、レリーズ釦の一段目の押下操作で発光電圧の昇圧、二段目の押下操作で撮影動作（低照度時発光）を実行するので、発光管そのものは低電圧で、且つ高応答で制御可能な白色ＬＥＤ等を用いる。少なくとも至近距離の被写体を照明する分には、上記白色ＬＥＤでも十分な照度を得ることができる。
【００４８】
次に、第１の実施形態のＩＣレコーダの動作について、図３のフローチャートを参照して説明する。
【００４９】
図３は、本発明の第１の実施形態のＩＣレコーダのメイン動作を説明するフローチャートである。
【００５０】
図示されないスイッチが操作されて、当該ＩＣレコーダがパワーオンされると、システム制御部３０によって、所定の初期設定が行われる。次いで、ステップＳ２にて、タイマスタートが実行される。このタイマは、所定時間経過後にＩＣレコーダが通常の動作モードから待機モード（低消費電流モード）に入るための時間を計時するものである。
【００５１】
こうして、ＩＣレコーダの動作モードに入ると、ステップＳ３〜Ｓ９に示されるスイッチ検出動作により、録音スイッチ（ＲＥＣ）、再生スイッチ（ＰＬＡＹ）、早送りスイッチ（ＦＦ）、早戻しスイッチ（ＲＥＷ）、停止スイッチ（ＳＴＯＰ）、メニュースイッチ（ＭＥＮＵ）、消去スイッチ（ＥＲＡＳＥ）の順に、オンされたスイッチがあるか否かが検出される。
【００５２】
すなわち、オンされたスイッチが録音スイッチ（ステップＳ３）であるならば、ステップＳ１０に移行して、「録音処理」のサブルーチンが実行される。同様に、オンされたスイッチが再生スイッチ（スイッチＳ４）であるならば、ステップＳ１１に移行して、「再生処理」のサブルーチンが実行される。オンされたスイッチが早送りスイッチ（ステップＳ５）であるならば、ステップＳ１３に移行して、「早送り処理」のサブルーチンが実行される。
【００５３】
また、オンされたスイッチが巻き戻しスイッチ（ステップＳ６）であるならば、ステップＳ１２に移行して、「早戻し処理」のサブルーチンが実行される。オンされたスイッチが停止スイッチ（ステップＳ７）であるならば、ステップＳ１４へ移行して、「停止処理」のサブルーチンが実行される。
【００５４】
更に、オンされたスイッチがメニュースイッチ（ステップＳ８）であるならば、ステップＳ１５へ移行して、「メニュー変更処理」のサブルーチンが実行される。オンされたスイッチが消去スイッチ（ステップＳ９）であるならば、ステップＳ１６へ移行して、「消去処理」のサブルーチンが実行される。
【００５５】
そして、上述したステップＳ１０〜Ｓ１６の各サブルーチンが実行された後は、ステップＳ１７へ移行する。このステップＳ１７では、上記ステップＳ２でスタートされたタイマがリセットされて再スタートされる。その後、上記ステップＳ３へ移行する。
【００５６】
上記ステップＳ３〜Ｓ９にて、全てのスイッチがオフされている場合は、ステップＳ１８に於いて、上記ステップＳ２で再スタートされたタイマの計時時間の判定が行われる。ここで、計時時間が所定時間内であれば、上記ステップＳ３へ移行して、再度スイッチの検出動作が行われる。一方、計時時間が所定時間をオーバすると、ステップＳ１９に移行して、「待機モード」のサブルーチンに入る。「待機モード」に入ると低消費電流動作になる。
【００５７】
具体的には、画像入力部２２、音声入力部２４、デジタル信号処理部（ＤＳＰ）２５、画像再生部２６、音声再生部２８、表示部２３及び記憶部２４の電源が遮断、若しくは各ブロックを構成する図示されないＩＣに設けられているチップイネーブル端子に、システム制御部３０から非選択信号が出力されることにより、低消費電流状態になる。
【００５８】
このとき、システム制御部３０内の図示されないＣＰＵは、自らも動作クロックを最も消費電流の少ない低速クロックに切り換えて低消費電流状態になる。或いは、動作クロックをメインクロック（例えば、９．２８ＭＨｚ）からサブクロック（例えば、３２．７６８ｋＨｚ）に切り換えて、その後スイッチ入力が検出されるまでメインクロックを完全に停止させてもよい。
【００５９】
尚、上述した、「早送り処理」、「早戻し処理」、「停止処理」、「メニュー変更処理」、「消去処理」及び「待機モード」の各サブルーチンは、周知の技術手段が用いられて実施されるものであり、また、本発明内容に直接関係しないので、ここでは詳細な説明は省略する。
【００６０】
次に、図４のフローチャートと、図２及び図５を参照して、図３のフローチャートに於けるステップＳ１０のサブルーチン「録音処理」の動作について説明する。
【００６１】
録音処理動作が開始されると、最初に、ステップＳ２１にて、マイク感度（高／低）、録音モード（標準／ロング）、ファイルナンバ及びこの音声データを記憶する音声データ記憶領域開始アドレス等の各種情報が、インデックス情報領域に記憶される。
【００６２】
次に、ステップＳ２２に於いて、レリーズフラグが判定される。ここでレリーズフラグがセットされている場合はステップＳ２３へ移行し、セットされていない場合はステップＳ２４へ移行する。
【００６３】
ステップＳ２３では、録音中の第１レリーズスイッチの状態が検出される。ここで、第１レリーズスイッチがオフの場合は、ステップＳ２５へ移行してレリーズフラグがリセットされる。次いで、ステップＳ２６にて、昇圧回路の通電が停止される。その後、ステップＳ３２へ移行する。
【００６４】
上記ステップＳ２３にて第１レリーズスイッチがオンの場合は、ステップＳ２７へ移行して第２レリーズスイッチの状態が検出される。ここで、第２レリーズスイッチがオンされている場合は、ステップＳ２８へ移行して画像取得フラグがセットされる。その後、ステップＳ３２へ移行する。また、上記ステップＳ２７にて第２レリーズスイッチがオフであれば、ステップＳ２８の処理をスキップしてステップＳ３２へ移行する。
【００６５】
上記ステップＳ２４では、録音中の第１レリーズスイッチの状態が検出される。その結果、第１レリーズスイッチがオン、すなわち録音中に第１レリーズスイッチがオンされると、ステップＳ２９へ移行して、撮像素子（ＣＣＤ）２１の通電が開始される。続いて、ステップＳ３０にて昇圧回路の通電が開始され、更にステップＳ３１にてレリーズフラグがセットされる。その後、ステップＳ３２へ移行する。
【００６６】
尚、上記第１レリーズスイッチ及び第２レリーズスイッチは、後述するレリーズスイッチ（ＲＥＬ）と等価である。
【００６７】
ステップＳ３２では、サブルーチン「画像取得処理」の処理が実行される。このサブルーチン「画像処理取得」の詳細については後述する。
【００６８】
そして、ステップＳ３３にて、デジタル信号処理部（ＤＳＰ）２５により、音声信号が符号化される。符号化そのものはフレーム単位で行われるが、続くステップＳ３４にて、音声データが所定フレーム数になるまで連続的に行われる。
【００６９】
そして、システム制御部３０の図示されないバッファメモリに記憶された音声データが、予め決められた所定フレーム数に達したならば、ステップＳ３５に移行して、音声データが記憶部（メモリ）３５の音声データ記憶領域開始アドレスから順に書き込まれて記憶される。
【００７０】
例えば、１０ビット／フレームの音声信号を４ビット／フレームまで符号化した音声データが上記記憶部（メモリ）３５へ５１２バイト単位で書き込まれる場合、所定フレーム数は１０２４になる。
【００７１】
図５に示されるように、音声データ領域Ａ及び音声データ領域Ｂは、例えば音声データ領域の先頭アドレスから順に記憶されている。また、音声データ領域Ａ及び音声データ領域Ｂに対応する開始アドレスが、音声データ領域Ａの先頭アドレス及び音声データ領域Ｂの先頭アドレスとして、インデックス情報領域に記憶されている。
【００７２】
ちなみに、言うまでもなく、音声データ領域Ｃ、音声データ領域Ｄ、…と、音声データ領域が確保される毎に、各音声データ領域の先頭アドレスがインデックス情報領域に記憶されるようにすればよい。
【００７３】
ここで、図６のフローチャートと、図２及び図５を参照して、図４のフローチャートのステップＳ３２に於けるサブルーチン「画像取得処理」の動作について説明する。
【００７４】
この「画像取得処理」のサブルーチンに入ると、先ず、ステップＳ５１にて画像取得フラグがセットされているか否かが検出される。ここで、上記画像取得フラグがセットされていなければ、通常の録音処理が実行される。一方、画像取得フラグがセットされている場合は、ステップＳ５２に移行してデジタル信号処理部（ＤＳＰ）２５により、画像信号の符号化が行われる。
【００７５】
符号化そのものは、音声データと同様にフレーム単位で行われる。そして、ステップＳ５３にて、画像データが所定フレーム数になるまで連続的に行われる。このステップＳ５３にて、システム制御部３０の図示されないバッファメモリに記憶された音声データが、予め決められた所定フレーム数になると、ステップＳ５４に移行して、音声データが記憶部（メモリ）３５の音声データ記憶領域開始アドレスから順に書込まれて記憶される。
【００７６】
図４に示されるように、画像データ領域の開始アドレスは、例えば、上記音声データ領域の最後のアドレスから順に記憶されている。また、画像データ領域Ｐ、画像データ領域Ｑ及び画像データ領域Ｒに対応する開始アドレスが、画像データ領域Ｐの先頭アドレス、画像データ領域Ｑの先頭アドレス及び画像データ領域Ｒの先頭アドレスとして、インデックス情報領域に記憶されている。これら画像データも上記音声データと同様に、画像データ領域が確保される毎に、各画像データ領域の先頭アドレスをインデックス情報領域に記憶すればよい。
【００７７】
上記ステップＳ５１〜Ｓ５４の処理動作は、ステップＳ５５にて画像取得が終了するまで繰り返し行われる。画像取得終了後は、ステップＳ５６にて音声データ関連付けフラグがセットされ、続いてステップＳ５６にて画像取得フラグがリセットされる。更に、ステップＳ５７にて画像取得終了フラグがセットされ、ステップＳ５８にて昇圧回路の通電が停止される。この後、本ルーチンを抜ける。
【００７８】
尚、音声データ関連付けフラグに関しては、後述する画像再生処理にて詳しく説明する。
【００７９】
図４のフローチャートの録音処理について、ステップ３６以降につて説明する。
【００８０】
ステップＳ３６では、上述した画像取得フラグがセットされているか否かが判定される。ここで、画像取得フラグがセットされていなければ、上記ステップＳ３２へ移行する。一方、画像取得フラグがセットされている場合は、ステップＳ３７に移行して、音声信号の符号化（ステップＳ３３）と画像信号の符号化（ステップＳ５２）が１つのＤＳＰによって同時進行される。すなわち、撮影中も音切れが起こらないように、音声データと画像データが、所定フレーム数毎に記憶部（メモリ）３５に交互に記憶される（ステップＳ３５、Ｓ５４）。
【００８１】
画像取得が終了した後は、ステップＳ３７に於いて、画像取得終了フラグが判定されながら音声信号の符号化が続けられる。この間に、ステップＳ３８にて、第１レリーズスイッチの状態が検出される。その結果、第１レリーズスイッチのオフが検出されると、ステップＳ３９に移行して、撮像素子２１の通電が停止される。そして、ステップＳ４０及びＳ４１にて、画像取得終了フラグとレリーズフラグがリセットされる。その後、ステップＳ４２に移行する。一方、上記ステップＳ３８にて第１レリーズスイッチがオンであれば、上記ステップＳ３２へ移行する。
【００８２】
上記ステップＳ２２〜Ｓ４１は、ステップＳ４２に於いて、停止スイッチ（ＳＴＯＰ）がオンされるまでの間、所定のレリーズシーケンスに従って各ステップの処理動作が繰り返される。そして、停止スイッチ（ＳＴＯＰ）がオンされると、ステップＳ４３に移行して、録音終了処理が実行されて録音が終了する。
【００８３】
次に、図７のフローチャート及び図２を参照して、図３のフローチャートのステップＳ１１に於けるサブルーチン「再生処理」の動作について説明する。
【００８４】
再生が開始されると、先ず、ステップＳ６１にて、選択された音声データ領域に関連した録音モード（標準／ロング）、ファイルナンバ及びこの音声データが記憶された音声データ記憶領域開始アドレス等の各種情報が、インデックス情報領域から読み出される。そして、ステップＳ６２にて画像再生処理のサブルーチンが実行された後、ステップＳ６３にて上記音声データ記憶領域開始アドレスから順に記憶部（メモリ）３５に記憶されている音声データが読み出される。
【００８５】
ステップＳ６４では、デジタル信号処理部（ＤＳＰ）２５により復号化される。復号化そのものはフレーム単位で行われるので、ステップＳ６５にて音声データが所定フレーム数になるまで連続的に行われ、システム制御部３０の図示されないバッファメモリに順次記憶されながら音声信号として音声再生部２８に出力される。上記ステップＳ６５にて、所定フレーム数に達していない場合は、上記ステップＳ６３へ移行する。
【００８６】
音声データの復号化が所定フレーム数終了すると、ステップＳ６６に移行して、画像表示中フラグの状態が判定される。ここで、画像表示中フラグがセットされている場合は、音声の再生開始と同時に表示部３３に画像表示が行われる。一方、画像表示中フラグがセットされていない場合は、ステップＳ７１へ移行する。
【００８７】
通常、音声の再生に伴う口述者の認識は、画像表示開始から数秒間あれば十分なので、ステップＳ６７に於いて、後述する画像再生処理で計時が開始される画像表示中タイマが所定時間を計時してオーバフローしたか否かが判定される。ここで、オーバフローしていなければ、上記ステップ６２へ移行して、ステップＳ６２〜Ｓ６７の処理動作が繰り返し行われる。一方、オーバフローしていれば、ステップＳ６８へ移行して画像表示中フラグがリセットされる。
【００８８】
更に、ステップＳ６９では、上記画像表示中タイマの計時が停止され、続くステップＳ７０にて通常の再生モード時の表示（録音時間、再生経過時間、録音モード（標準／ロング）、ファイルナンバ等）が行われる。そして、ステップＳ７１に於いて、停止スイッチ（ＳＴＩＯＰ）の状態が判定される。ここで、停止スイッチ（ＳＴＯＰ）がオンされるまで、上記ステップＳ６２〜Ｓ７１の処理動作が繰り返し行われる。一方、停止スイッチ（ＳＴＯＰ）がオンされたならば、ステップＳ７２にて再生終了処理が実行された後、再生が終了する。
【００８９】
次に、図８のフローチャート及び図２を参照して、図７のフローチャートのステップＳ６２に於けるサブルーチン「画像再生処理」の動作について説明する。
【００９０】
本ルーチンに入ると、先ずステップＳ８１にて、音声データ関連付けフラグがセットされているか否かが検出される。ここで、当該フラグがセットされていなければ、本ルーチンを抜けて、音声データだけを復号化する通常の再生処理が実行される。一方、当該フラグがセットされている場合は、ステップＳ８２に移行する。
【００９１】
そして、ステップＳ８２にて、画像データ復号化終了フラグがセットされているか否かが判定される。その結果、当該フラグがセットされている場合は本ルーチンを抜け、セットされていない場合はステップＳ８３へ移行する。ステップＳ８３では、上記画像データ記憶領域開始アドレスから順に、記憶部（メモリ）３５に記憶されている画像データが読み出される。
【００９２】
次いで、ステップＳ８４にて、デジタル信号処理部（ＤＳＰ）２５により復号化される。復号化そのものは音声データ同様にフレーム単位で行われるので、ステップＳ８５に於いて、画像データが所定フレーム数になるまで、上記ステップＳ８３〜Ｓ８５の処理動作が連続的に行われる。これにより、システム制御部３０の図示されないバッファメモリに順次記憶されながら、画像信号として画像再生部２６に出力される。
【００９３】
上記ステップＳ８１〜Ｓ８５は、ステップＳ８６にて画像データの復号化が終了するまで繰り返し行われる。画像データの復号化終了と同時に、ステップＳ８７に移行して画像データ復号化終了フラグがセットされる。そして、続くステップＳ８８にて画像表示中フラグがセットされると、更にステップＳ８９にて画像表示中タイマの計時が開始される。その後、本ルーチンが終了する。
【００９４】
図９は、上述した構成のＩＣレコーダの外観構成を示したもので、（ａ）は上面図、（ｂ）は録音時の操作表示部の状態を示した正面図である。
【００９５】
本実施の形態に於けるＩＣレコーダ４０の上面には、マイクロフォン孔４１、撮像レンズ４２、マイクジャック４３及びイヤフォンジャック４４が配設されている。そして、このＩＣレコーダ４０の内部で、上記マイクロフォン孔４１及び撮像レンズ４２と相対する位置には、図２に示されるマイクロフォン（ＭＩＣ）２３及び撮像素子（ＣＣＤ）２１が、それぞれが配設されている。このマイクロフォン２３の指向方向と、撮像レンズ４２の撮像方向とは略同一となるように配置されており、操作者が違和感無く、スムーズに録画時の画像取得を行うことができるようになっている。
【００９６】
また、このＩＣレコーダ４０の前面部には、画像表示部２７に対応する表示部３３が設けられている。そして、この表示部３３の下部にはレリーズスイッチ（ＲＥＬＳＷ）４７が、そして表示部３３の近傍でＩＣレコーダ４０の側面部には録音スイッチ（ＲＥＣＳＷ）４６が、それぞれ設けられている。
【００９７】
尚、上記録音スイッチ（ＲＥＣＳＷ）４６及びレリーズスイッチ（ＲＥＬＳＷ）４７以外のその他の操作スイッチは、特に図示していないが、操作し易いようにＩＣレコーダ４０の前面或いは側面側に配設されている。
【００９８】
更に、ＩＣレコーダ４０の前面の下方には、スピーカ孔４８が設けられている。そして、このＩＣレコーダ４０内部でスピーカ孔４８と相対する位置には、図２に示されるスピーカ（ＳＰ）２９が配設されている。
【００９９】
また、上述した操作スイッチは、通常タクティルプッシュスイッチ（Ｔａｃｔｉｌｅ  Ｐｕｓｈ  Ｓｗｉｔｃｈ）と称されるフェザータッチのスイッチが用いられている。
【０１００】
次に、このように構成されたＩＣレコーダを用いて、口述者の録音及びその音声・画像の再生を行う際の様子について、図１０を参照して説明する。
【０１０１】
先ず、図１０（ａ）を参照して、ＩＣレコーダ３０の録音動作を説明する。
【０１０２】
ＩＣレコーダ４０の録音スイッチ４６がオンにされると、録音が開始される。このとき、表示部３３には、録音開始初期の表示が現れ、録音動作状態であることが操作者に告知される。この状態に於いて、図１０（ａ）に示されるように、ＩＣレコーダ４０の上面を口述者５０に向けてレリーズスイッチ（ＲＥＬ）４７がオンされることにより、口述者の画像を取得することができる。
【０１０３】
画像取得は、レリーズスイッチ（ＲＥＬ）４７がオンされる毎に行われる。したがって、複数の口述者を相手にするインタビュー等に於いても、口述内容に対応する口述者毎の画像を確実に記録することができる。
【０１０４】
更に、画像を確実に記録するために、レリーズスイッチ（ＲＥＬ）４７がオンされてから暫らくの間は、図１０（ｂ）に示されるように、撮像レンズ４２で捕捉された画像を表示部３３に表示されるようにしてもよい。そして、被写体のフレーミングが決定された後、再びレリーズスイッチ（ＲＥＬ）４７がオンされることにより、画像取得が実行されるようにすればよい。
【０１０５】
次に、図１０（ｂ）を参照して、このＩＣレコーダを用いた再生時の画像再生の様子について説明する。
【０１０６】
ＩＣレコーダ４０の前面或いは側面側に配設された、図示されない再生スイッチがオンされると、再生が開始される。このとき、スピーカ２９からは、例えば、図１０（ｂ）の吹き出しに示されるような音声が発音されると同時に、この音声に関連した口述者の画像が、表示部３３に表示される。この場合、表示部３３には、口述者の画像５１と共に、録画時の日時等のデート情報５２が表示されるようにしてもよい。
【０１０７】
また、画像は、この画像に関連した音声の再生が終了するまで表示してもよい。勿論、上述したように、再生開始から一定時間だけ表示するようにしてもよい。
【０１０８】
更に、画像確認が不要ならば、全く表示しなくてもよい。例えば、音声に関連した画像が記録されていないときは、通常の再生時の表示（録音時間、再生経過時間、録音モード（標準／ロング）、ファイルナンバ等）が行われる。
【０１０９】
このように、第１の実施形態によれば、再生時に、口述内容を聴きながら口述者自身を視覚的に確認することができるので、特にインタビュー等、複数の口述者の口述内容を口述者毎に録音して、後日ドキュメント化するような場合に非常に有効である。
【０１１０】
次に、本発明の第２の実施形態について説明する。
【０１１１】
尚、この第２の実施形態に於いて、ＩＣレコーダの構成は、基本的に上述した第１の実施の形態と同じであるので、図１、図２、図９及び図１０に示されたものと同様であるので、同一の部分には同一の参照番号を付して、その図示及び説明は省略し、異なる動作についてのみ説明する。
【０１１２】
図１１は、本発明の第２の実施形態であるＩＣレコーダのメイン動作を説明するフローチャートである。
【０１１３】
本フローチャートに於いて、ステップＳ１００のカメラスイッチ（ＣＡＭＥＲＡ）の判定、及びステップＳ１０８のレリーズ処理のサブルーチン以外のステップは、上述した第１の実施形態に於ける図３のフローチャートと同じである。したがって、ステップＳ９１〜Ｓ９９、ステップＳ１０１〜Ｓ１０７、ステップＳ１０９、ステップＳ１１０〜Ｓ１１１の処理動作は、それぞれ図３のフローチャートに於けるステップＳ１〜Ｓ９、ステップＳ１０〜Ｓ１５、ステップＳ１７、ステップＳ１８〜Ｓ１９を参照して説明は省略する。
【０１１４】
ステップＳ１００に於いて、オンされたスイッチがカメラスイッチ（ＣＡＭＥＲＡ）であるならば、ステップＳ１０８に移行して、サブルーチン「レリーズ処理」の動作が実行される。そして、当該サブルーチンの実行後は、ステップＳ１０９に移行してタイマが再スタートされた後、メインルーチンに戻る。
【０１１５】
上記カメラスイッチは、例えば、スライドスイッチのように、その状態を強制的に保持することができるメカニカルなスイッチを用いてもよい。
【０１１６】
次に、図１２のフローチャート及び図２を参照して、図１１のフローチャートのステップＳ１０８に於けるサブルーチン「レリーズ処理」の動作について説明する。
【０１１７】
カメラファンクションモードに入ると、先ず、ステップＳ１２１にて、撮像素子（ＣＣＤ）２１の通電が開始される。次いで、ステップＳ１２２に於いて、第１レリーズスイッチのオン／オフ状態が検出される。ここで、第１レリーズスイッチがオンされていない場合は、ステップＳ１２３へ移行して昇圧回路の通電が停止される。一方、第１レリーズスイッチがオンされている場合は、ステップＳ１２４へ移行する。
【０１１８】
ステップＳ１２４では、被写体輝度または撮影環境下の照度が測光判定される。ここで、上記被写体輝度または撮影環境下の照度が所定の露光値に満たない低照度の場合は、ステップＳ１２５へ移行して、昇圧回路の通電が開始される。もちろん、上述した図４のフローチャートのように、上記測光判定（ステップＳ１２４）が行われずに第１レリーズスイッチのオン毎に昇圧回路が通電されるものであってもよい。但し、言うまでもなく、低照度時のみ昇圧回路が動作される方が電池エネルギーを効率よく使用することができる。
【０１１９】
また、上記ステップＳ１２４にて低照度でない場合は、ステップＳ１２６へ移行して昇圧回路の通電が停止される。
【０１２０】
そして、ステップＳ１２７では、第２レリーズスイッチのオン／オフ状態が検出される。ここで、第２レリーズスイッチがオンされている場合はステップＳ１２８へ移行し、オフの場合はステップＳ１３７へ移行する。
【０１２１】
ステップＳ１３７では、カメラスイッチの状態が検出される。ここで、カメラスイッチがオンされている場合は、上記ステップＳ１２２へ移行して以降の処理動作が繰り返される。一方、カメラスイッチがオフの場合は、ステップＳ１３８へ移行して昇圧回路の通電が停止された後、ステップＳ１３９へ移行する。
【０１２２】
ステップＳ１２８では、再び、露出直前の被写体輝度または撮影環境下の照度が再測光判定される。低照度の場合は、ステップＳ１２９へ移行して、露出開始にほぼ同期して、発光部３６による照明発光が開始される。または、露出開始から露出終了の間に閃光的な照明発光が行われるものであってもよい。尚、上記ステップＳ１２８で低照度でない場合は、ステップＳ１２９をスキップする。
【０１２３】
ステップＳ１３０では、露出が終了であるか否かが判定される。ここで、露出が終了すると、ステップＳ１３１に移行して照明発光が停止され、続いてステップＳ１３２にて昇圧回路の通電が停止される。更に、ステップＳ１３３にて、デジタル信号処理部（ＤＳＰ）２５により画像信号の符号化が開始される。この符号化そのものはフレーム単位で行われ、ステップＳ１３４で画像データが所定フレーム数に達したと判定されるまで、連続的に行われる。
【０１２４】
そして、システム制御部３０の図示されないバッファメモリに記憶された画像データが、予め決められた所定フレーム数に達したならば、ステップＳ１３５３へ移行して、画像データが記憶部（メモリ）３５の画像データ記憶領域開始アドレスから順に書き込まれて記憶される。尚、上記一連の画像データ書き込み処理は、上述した図５の説明内容と同じであるのでここでは説明を省略する。
【０１２５】
上記ステップＳ１３３〜Ｓ１３５の処理動作は、ステップＳ１３６にて画像取得が終了するまで、繰り返し行われる。そして、画像取得終了後は、ステップＳ１３９へ移行して、撮像素子（ＣＣＤ）２１の通電が停止されて、レリーズ処理が終了する。
【０１２６】
次に、図１３を参照して、本発明の第２の実施形態の昇圧及び発光動作について説明する。
【０１２７】
図１３は、本発明の第２の実施形態の昇圧及び発光動作を行う回路の概略構成を示した図である。
【０１２８】
図１３（ａ）に於いて、電池６１に接続されたＤＣ／ＤＣコンバータ６２は、電池電圧ＶＣＣを所定の電圧ＶＣＣ１まで昇圧してシステム制御部６３に供給する。一方、ＤＣ／ＤＣコンバータ６４は、上記システム制御部６３のチップイネーブル信号ＣＥがアクティブのときだけ昇圧動作を行い、発光回路（１）６９のコンデンサ６６を所定の電圧ＶＣＣ２に充電する。
【０１２９】
上記ＤＣ／ＤＣコンバータ６４で構成される昇圧回路６５は、例えば、ブロッキング発振を用いた自励式で構成してもよいし、上記システム制御部６３がＰＷＭ回路を内蔵しているならば他励式で構成してもよい。
【０１３０】
上記発光回路（１）６９の照明用超高輝度ＬＥＤ６７は、最大発光量が得られるように絶対最大定格で規定されたパルス順電流とパルス幅で駆動する。すなわち、遠距離の被写体を明るく効率的に照明することができるので、手ぶれが問題になるような静止画撮影の露出に適している。もちろん、近距離に被写体がある場合は、連続点灯の状態で被写体の様子を観察しながら動画的に撮影してもよい。但し、この場合の発光量は、上述したパルス駆動に比べると著しく低下する。
【０１３１】
上記照明用超高輝度ＬＥＤ６７のアノード端子に接続された上記ＤＣ／ＤＣコンバータ６４の出力電圧ＶＣＣ２の値は、上記照明用超高輝度ＬＥＤ６７の順方向電圧よりも十分に大きくする。例えば、上記照明用超高輝度ＬＥＤ６７の順方向電圧が３〜４Ｖの場合は、少なくとも出力電圧ＶＣＣ２の値を５〜６Ｖに設定して、パルス駆動時の大電流による電圧降下が起きないように定電圧化させる。または、パルス順電流値以内の値で定電流化させてもよい。更には、上記ＤＣ／ＤＣコンバータ６４の出力電圧ＶＣＣ２を可変電圧にして、上記照明用超高輝度ＬＥＤ６７の発光量を加減してもよい。
【０１３２】
また、上記照明用超高輝度ＬＥＤ６７のアノード端子に接続されたコンデンサ６６の充電電荷は、主にパルス駆動時の瞬間的なラッシュ電流を補い、上記ＤＣ／ＤＣコンバータ６４の過負荷による過渡応答時の電圧降下を軽減させている。上記照明用超高輝度ＬＥＤ６７のカソード端子に接続されたパワーＦＥＴ６８は、被写体照明時に上記システム制御部６３から出力される駆動信号ＤＲＶによってオン／オフする。
【０１３３】
また、図１３（ｂ）に示される発光回路（２）７１は、遠距離の被写体をより明るく照明するために、照明用超高輝度ＬＥＤ７３1 、７３2 、７３3 、…、７３n を直列接続して光量増を図った一例である。直列接続の場合、上記ＤＣ／ＤＣコンバータ６４の出力電圧ＶＣＣ２の値は、各照明用超高輝度ＬＥＤ７３1 、７３2 、７３3 、…、７３n の順方向電圧の総和よりも十分に大きくする。パルス順電流とパルス幅は、照明用超高輝度ＬＥＤ単体駆動のときと同じ条件でよい。また、アノード端子に接続されたコンデンサ７２の容量と、カソード端子に接続されたパワーＦＥＴ７４の定格も、単体駆動のときと同じ条件でよい。
【０１３４】
ところで、発光量は照明用超高輝度ＬＥＤの個数に比例するので、もし電池６１及び昇圧回路６５の駆動能力に十分余裕があるならば、図１３（ｃ）に示される発光回路（３）８０のように、各照明用超高輝度ＬＥＤ８２1 、８２2 、８２3 、…、８２n を並列接続して駆動することもできる。この場合、ＤＣ／ＤＣコンバータ６４の出力電圧ＶＣＣ２の値は、照明用超高輝度ＬＥＤ単体駆動のときと同じ条件でよい。但し、順電流が個数に比例して増加するので、アノード端子に接続されたコンデンサ８１の容量とカソード端子に接続されたパワーＦＥＴ８３の定格を、単体駆動のときよりも増強しなければならない。
【０１３５】
もちろん、これらの発光回路は、システムの都合に応じて使い分ければよい。ちなみに、上記照明用超高輝度ＬＥＤの発光色は、上述したとおり被写体の色調の再現性に優れている白色がよい。
【０１３６】
次に、図１４のタイミングチャートを参照して、本第２の実施形態の発光タイミングの動作について説明する。
【０１３７】
先ず、第１（１ｓｔ）レリーズスイッチがオンになると、上述した撮像部素子（ＣＣＤ）２１の通電が開始されて、被写体輝度または撮影環境下の照度が測光判定される。上記被写体輝度または撮影環境下の照度が所定の露光値に満たない低照度の場合（図中、低輝度判定信号Ｈ→Ｌの変化を検出）は、図１３（ａ）に示されるの昇圧回路６５の動作が開始され、ＶＣＣ２電圧が発生される。
【０１３８】
その後、第２（２ｎｄ）レリーズスイッチがオンになると、露出が開始されて上記撮像素子（ＣＣＤ）２１から垂直同期信号が出力される。図１３（ａ）に示されるシステム制御部６３により、上記垂直同期信号にほぼ同期して駆動信号ＤＲＶが出力され、照明用超高輝度ＬＥＤが所定時間発光されて適正露光が行われる。露光後の画像データは、１フレーム分の垂直同期信号が出力されている間に、上述した記憶部（メモリ）３２に書き込まれる。
【０１３９】
このように、第２の実施形態によっても、再生時に、口述者とその口述内容を容易に確認することができる。
【図面の簡単な説明】
【０１４０】
【図１】本発明の第１の実施形態であるデータ処理装置の概略構成を示したブロック図である。
【図２】本発明の撮影装置の第１の実施形態であるＩＣレコーダの構成を示すブロック図である。
【図３】本発明の第１の実施形態のＩＣレコーダのメイン動作を説明するフローチャートである。
【図４】図３のフローチャートに於けるステップＳ１０のサブルーチン「録音処理」の動作について説明するフローチャートである。
【図５】音声データ領域とインデックス情報領域との関係を示した図である。
【図６】図４のフローチャートに於けるステップＳ３２のサブルーチン「画像取得処理」の動作について説明するフローチャートである。
【図７】図３のフローチャートのステップＳ１１に於けるサブルーチン「再生処理」の動作について説明するフローチャートである。
【図８】図７のフローチャートのステップＳ６２に於けるサブルーチン「画像再生処理」の動作について説明するフローチャートである。
【図９】本発明の第１の実施形態によるＩＣレコーダの外観構成を示したもので、（ａ）は上面図、（ｂ）は録音時の操作表示部の状態を示した正面図である。
【図１０】図９のＩＣレコーダを用いて、口述者の録音及びその音声・画像の再生を行う際の様子について説明するもので、（ａ）はＩＣレコーダ４０の録音動作を説明する図、（ｂ）はＩＣレコーダ４０の音声・画像の再生の様子を示した図である。
【図１１】本発明の第２の実施形態であるＩＣレコーダのメイン動作を説明するフローチャートである。
【図１２】図１１のフローチャートのステップＳ１０８に於けるサブルーチン「レリーズ処理」の動作について説明するフローチャートである。
【図１３】本発明の第２の実施形態の昇圧及び発光動作を行う回路の概略構成を示した図である。
【図１４】第２の実施形態の発光タイミングの動作について説明するタイミングチャートである。
【符号の説明】
【０１４１】
１…符号化部、２、６…記憶部、３…復号化部、４…音声再生部、５…撮像部、７…撮像装置、１０、１２…選択部、１１…スイッチ（ＳＷ）操作部及び制御部、１３…映像選択部、１５…スイッチ部、１６…照明部、１７…昇圧部、１８、３６…発光部、２１…撮像素子（ＣＣＤ）、２２…画像入力部、２３…マイクロフォン（ＭＩＣ）、２４…音声入力部、２５…デジタル信号処理部（ＤＳＰ）、２６…画像再生部、２７…画像表示部、２８…音声再生部、２９…スピーカ（ＳＰ）、３０…システム制御部、３３…表示部、３４…操作部、３５…記憶部（メモリ）。
【図１】
2005150953.tif 000003
【図２】
2005150953.tif 000004
【図３】
2005150953.tif 000005
【図４】
2005150953.tif 000006
【図５】
2005150953.tif 000007
【図６】
2005150953.tif 000008
【図７】
2005150953.tif 000009
【図８】
2005150953.tif 000010
【図９】
2005150953.tif 000011
【図１０】
2005150953.tif 000012
【図１１】
2005150953.tif 000013
【図１２】
2005150953.tif 000014
【図１３】
2005150953.tif 000015
【図１４】
2005150953.tif 000016